(57)【要約】【課題】  筋付け力を強くして有効に二重まぶたを形成する。【解決手段】  まぶたに押当てられるガイド片２と、ガイド片２に沿ってまぶたに対し進退してまぶたに筋付けをする筋付片３と、筋付片を進退駆動する駆動部６とを備えてなる。【選択図】 図１
2005296395.tif 000002
【特許請求の範囲】
【請求項１】
まぶたに押当てられるガイド片と、ガイド片に沿ってまぶたに対し進退してまぶたに筋付けをする筋付片と、筋付片を進退駆動する駆動部とを備えてなる二重まぶた形成装置。
【請求項２】
請求項１の二重まぶた形成装置において、筋付片の先端部に緩衝材が取付けられていることを特徴とする二重まぶた形成装置。
【請求項３】
請求項１または２の二重まぶた形成装置において、ガイド片と筋付片との間隔を調整する間隔調整機構が設けられていることを特徴とする二重まぶた形成装置。
【請求項４】
請求項３の二重まぶた形成装置において、間隔調整機構は筋付片の進退方向を案内する進退案内機構を兼用していることを特徴とする二重まぶた形成装置。
【発明の詳細な説明】
【技術分野】
【０００１】
本発明は、一重まぶたに筋付けをすることにより二重まぶたを形成する二重まぶた形成装置に係る技術分野に属する。
【背景技術】
【０００２】
一般的に、二重まぶたの形成手段としては、整形外科手術や薬品塗布が採用されている。然しながら、これ等の二重まぶたの形成手段では、身体にメスを入れる事に対する恐怖感や、人によっては薬品に対しアレルギーが生じたりすることから、二重まぶたを望む人にとって簡単に踏切れるものではなかった。このため、安全，簡便な二重まぶたの形成手段の開発が望まれている。
【０００３】
最近、安全，簡便な二重まぶたの形成手段として、押圧等によりまぶたに筋付けをすることが行われるようになってきている。
【０００４】
従来、筋付けによる二重まぶた形成装置としては、例えば、以下に記載のものが知られている。
【特許文献１】特開２００３−３１０６５０号公報  特許文献１にはまぶたの上に針がね様のものを押し当てるものが開示されている。
【０００５】
この特許文献１の二重まぶた形成装置は、眼鏡のように耳，鼻に掛けるように湾曲成形した線材をまぶたに継続的に押圧させることにより、まぶたに筋付けをして二重まぶたを形成するものである。
【発明の開示】
【発明が解決しようとする課題】
【０００６】
前述の二重まぶた形成装置では、まぶたの弾力性で線材が押戻されてしまうため、筋付け力が弱く有効に二重まぶたを形成することができない。また筋付け力が弱いので比較的長い時間掛けておかないと効果が無く、しかるとき目玉が動き、初期の押接部位から容易に位置ずれが生じ、まぶたの二重にすべき箇所にうまく当接できないという問題点がある。
【０００７】
本発明は、このような問題点を考慮してなされたもので、筋付け力が強く、所望の位置に有効に二重まぶたを形成することができる二重まぶた形成装置を提供することを課題とする。
【課題を解決するための手段】
【０００８】
前述の課題を解決するため、本発明に係る二重まぶた形成装置は、特許請求の範囲の各請求項に記載の手段を採用する。
【０００９】
即ち、請求項１では、まぶたに押当てられるガイド片と、ガイド片に沿ってまぶたに対し進退してまぶたに筋付けをする筋付片と、筋付片を進退駆動する駆動部とを備えてなる。
【００１０】
この手段では、駆動部によって進退駆動される筋付片で、間欠的にまぶたの弾力性に抗し、まぶたの所望位置を押圧して筋付けする。
【００１１】
また、請求項２では、請求項１の二重まぶた形成装置において、筋付片の先端部に緩衝材が取付けられていることを特徴とする。
【００１２】
この手段では、緩衝材の緩衝機能で筋付片が必要以上にまぶたを押圧するのを回避し、かつ接触感をよくする。
【００１３】
また、請求項３では、請求項１または２の二重まぶた形成装置において、ガイド片と筋付片との間隔を調整する間隔調整機構が設けられていることを特徴とする。
【００１４】
この手段では、まぶたの大きさや好みに応じて筋付けの位置を調整することができる。
【００１５】
また、請求項４では、請求項３の二重まぶた形成装置において、間隔調整機構は筋付片の進退方向を案内する進退案内機構を兼用していることを特徴とする。
【００１６】
この手段では、間隔調整機構（進退案内機構）によって筋付片の進退方向が正確に案内される。
【発明の効果】
【００１７】
本発明に係る二重まぶた形成装置は、駆動部によって進退駆動される筋付片で間欠的にまぶたの弾力性に抗して押圧して筋付けするため、筋付け力が強く有効に二重まぶたを形成することができる効果がある。
【００１８】
さらに、請求項２として、緩衝材の緩衝機能で筋付片が必要以上にまぶたを押圧するのを回避するため、安全性が高くなる効果がある。
【００１９】
さらに、請求項３として、まぶたの大きさや好み、つまり二重まぶたを形成したい部位に応じて筋付け片の位置を調整することができるため、汎用性が高くなる効果がある。
【００２０】
さらに、請求項４として、間隔調整機構によって筋付片の進退方向が正確に案内されるため、まぶたにおける筋付けの位置が正確になり、二重まぶたが確実，綺麗に形成される効果がある。
【発明を実施するための最良の形態】
【００２１】
以下、本発明に係る二重まぶた形成装置を実施するための最良の形態を図面に基づいて説明する。
【００２２】
この形態では、携帯用に構成したものが示されている。
【００２３】
この形態は、図１に示すように、筒形のケーシング１からＹ字形のガイド片２，筋付片３，間隔調整機構４が突出した外観を構成している。
【００２４】
ケーシング１は、下部分１１が円筒形に形成されて下端に着脱可能な蓋１２が設けられ、上部分１３がテーパ形に形成されて上端に指圧等に使用される突起１４が設けられている。上部分１３には、ケーシング１の軸方向と直交する方向へ突出された連結筒１５が設けられている。
【００２５】
ケーシング１の内部には、下部側からバッテリ５，駆動部６が収容されている。バッテリ５は、駆動部６の駆動エネルギ源となる乾電池でケーシング１の蓋１２を取外すことで交換が可能になっている。駆動部６は、回転駆動される小型モータ６１と、小型モータ６１の回転運動を直線的な進退運動に変換するカム構造等の運動変換機構６２と、運動変換機構６２に連結されてケーシング１の連結筒１５の内部に延びて直線的に進退運動するシャフト６３と、シャフト６３の先端部に嵌合取付けされケーシング１の連結筒１５から露出したコイル筒６４とからなる。なお、バッテリ５，駆動部６を接続する電気回路を開閉する押ボタン式のスイッチ７がケーシング１の下部分１１から突出するように設けられている。
【００２６】
ガイド片２は、抗菌性の合成樹脂材等の薄板で上下方向，前後方向に湾曲して平面がＹ字形を呈し、まぶたの湾曲に沿うように形成されている。このガイド片２は、先端部にまぶた（上まぶた）Ｍに押当てられる湾曲した押当面２１が設けられ、先端部に続く後方側に前後方向へ延びた長方形の窓孔２２が開口され、後端部にケーシング１の連結筒１５に嵌合される嵌合部２３が設けられ、後端部に続く前方側に駆動部６のコイル筒６４を支持するコイル筒受部２４が設けられている。
【００２７】
筋付片３は、抗菌性の合成樹脂材等の薄板で上下方向，前後方向に湾曲され平面がＹ字形に形成され、前後方向の長さがガイド片２よりも短くガイド片２に重ねられる湾曲形状に形成されている。この筋付片３は、先端部にまぶたＭを押圧する湾曲した押圧面３１（ガイド片２の押当面２１とほぼ同一の形状，大きさ）が設けられ、先端部に続く後方側に前後方向へ延びた長方形の案内溝３２が刻設され、後端部に駆動部６のコイル筒６４へ嵌合される連結用シャフト３３が固定されている。押圧面３１のガイド片２の押当面２１寄り部分には、シリコンゴムの緩衝材８が取付けられている。この緩衝材８は左右方向に複数の横溝が付けられている。
【００２８】
間隔調整機構４は、ケーシング１の下部分１１に軸方向へ延びて固定された細長板形の基板４１の上下端からそれぞれ屈曲して延びて三角形のバネ構造を形成する上バネ板４２，下バネ板４３からなる。上バネ板４２，下バネ板４３は、細長板形の本体片４２１，４３１の両側に補強片４２２，４３２が屈曲形成され、中途部での無用の変形が防止されている。下バネ板４３の本体片４３１の先端部は、上バネ板４２の本体片４２１の先端部から少し離れた位置に突当てられている。上バネ板４２の本体片４２１の先端部は、ガイド片２の窓孔２２を貫通して筋付片３の案内溝３２に侵入されている。
【００２９】
この形態を使用するには、図６に示すように、ガイド片２の押当面２１を、まつげＨを避けるようにしてまぶたＭに押当て、スイッチ７を押して駆動部６を駆動させることになる。
【００３０】
駆動部６は、小型モータ６１の回転運動を運動変換機構６２でシャフト６３，コイル筒６４の直線的な進退運動に変換する。駆動部６のシャフト６３，コイル筒６４直線的な進退運動は、筋付片３のガイド片２に沿った進退動をもたらす。筋付片３の進退動は、間隔調整機構４の上バネ板４２の本体片４２１とガイド片２の窓孔２２，筋付片３の案内溝３２との係合で横方向へのずれが防止されて正確に前後方向へ案内される。即ち、間隔調整機構４が進退案内機構として機能する。
【００３１】
まぶたＭに進出した筋付片３の押圧面３１に取付けられている緩衝材８は、図３，図６（Ｂ）に示すように、まぶたＭをある程度強い力（前述の従来例との相対）で押圧する。このとき、緩衝材８（筋付片３の押圧面３１）に駆動部６の駆動力が作用しているため、まぶたＭを弾力性に抗して確実に押圧する。従って、まぶたＭに確実に筋付けがなされる。なお、間隔調整機構４等によって筋付片３の、押圧面３１の進退の方向性に正確性が確保されているため、まぶたＭにおける筋付け位置が正確になり、緩衝材８の横溝とも相まって二重まぶたが確実，綺麗に形成されることになる。なお、緩衝材８の緩衝機能から、押圧されたまぶたＭが傷付くようなことはない。
【００３２】
このような二重まぶたの形成は、メスによる手術に対する恐怖感や、人それぞれの体質によって生じる薬品アレルギーの心配がなく、安全，簡便に行うことができる。
【００３３】
この後、図４，図６（Ａ）に示すように、直ちに筋付片３の押圧面３１に取付けられている緩衝材８が後退する。従って、まぶたＭへの長時間の継続的な刺激を回避することができ、まぶたＭや眼球の傷付きを防止することができる。
【００３４】
また、後退した筋付片３の押圧面３１に取付けられている緩衝材８は、再びまぶたＭに進出する。そして、再び前述の押圧作用が奏される。
【００３５】
緩衝材８による間欠的なまぶたＭの押圧は、必要以上にまぶたＭを刺激することなく確実に二重まぶたを形成することになる。特に、間欠的な押圧が軽い叩き，揉みの状態を呈するため、まぶたＭの内部の脂肪層に凹みを形成して筋付けを深くし、二重まぶたの形成を確実にする。
【００３６】
さらに、この形態では、図５に示すように、間隔調整機構４の下バネ板４３を押すことによって、間隔調整機構４の上バネ板４２を介して筋付片３を押上げてガイド片２，緩衝材８の間隔Ｓを調整することができる。なお、図５の状態で筋付片３を進退駆動することができる。また、筋付片３側の変位は、駆動部６のコイル筒６４の変形で対応される。
【００３７】
ガイド片２，緩衝材８の間隔Ｓの調整は、まぶたＭの大きさや好みに応じて筋付けの位置を調整することを可能にして汎用性を高める。
【００３８】
以上、図示した形態の外に、駆動部６等を卓上タイプとした大型に構成することも可能である。
【００３９】
さらに、駆動部６に筋付片３の進退速度の調整機能を備えることも可能である。
【産業上の利用可能性】
【００４０】
本発明に係る二重まぶた形成装置は、美顔に関し、手術などの外科的方法を避けたい人、薬品にアレルギー反応を示す人に利用される可能性が大きいが、薬品アレルギーが生じない体質の人が薬品塗布と併用することを不可能にするものではない。
【図面の簡単な説明】
【００４１】
【図１】本発明に係る二重まぶた形成装置を実施するための最良の形態の斜視図である。
【図２】図１の要部の正面図である。
【図３】図２の縦断面図である。
【図４】図３の動作図である。
【図５】図３の他の動作図である。
【図６】図１の使用例を示す簡略化した側面図であり、（Ａ）にまぶたへの進出状態が示され、（Ｂ）にまぶたからの後退状態が示されている。
【符号の説明】
【００４２】
１       ケーシング
２ ガイド片
３        筋付片
４        間隔調整機構 （進退案内機構）
６        駆動部
【図１】
2005296395.tif 000003
【図２】
2005296395.tif 000004
【図３】
2005296395.tif 000005
【図４】
2005296395.tif 000006
【図５】
2005296395.tif 000007
【図６】
2005296395.tif 000008